(57)【要約】【課題】メスコネクタ内に細菌が混入する可能性を低く抑えながら、メスコネクタの拭き取り作業の回数を少なくする。【解決手段】厚さ方向に貫通するスリット１１１が形成された自閉式の弁体１１０と、弁体１１０のスリット１１１を含む領域を露出させる開口１３２が設けられた天板１３１とを備えたメスコネクタ１００に剥離可能に貼付することができる保護シール１が開示されている。保護シール１は、基材層５と、基材層５の片面に設けられた粘着層６とを備える。保護シール１は、開口１３２内に露出された弁体１１０を覆うように、粘着層６をメスコネクタ１００側にしてメスコネクタ１００に貼付することができるように構成されている。【選択図】図３
2017136200.tif 000002
【特許請求の範囲】
【請求項１】
厚さ方向に貫通するスリットが形成された自閉式の弁体と、前記弁体の前記スリットを含む領域を露出させる開口が設けられた天板とを備えたメスコネクタに剥離可能に貼付することができる保護シールであって、
前記保護シールは、基材層と、前記基材層の片面に設けられた粘着層とを備え、
前記開口内に露出された前記弁体を覆うように、前記粘着層を前記メスコネクタ側にして前記メスコネクタに貼付することができるように構成されていることを特徴とする保護シール。
【請求項２】
前記保護シールは、主部と、前記主部から突出したタブとを備え、
前記主部を前記開口を取り囲む前記天板に貼付したとき、前記タブは前記メスコネクタの外周面に貼付することができるように構成されている請求項１に記載の保護シール。
【請求項３】
前記粘着層に消毒剤が混入されている請求項１又は２に記載の保護シール。
【請求項４】
前記開口を取り囲む前記天板の全面を覆うように構成されている請求項１〜３のいずれか一項に記載の保護シール。
【請求項５】
前記保護シールを前記メスコネクタから剥がした後に、前記開口内に露出された前記弁体に前記粘着層が残留しないように構成されている請求項１〜４のいずれか一項に記載の保護シール。
【請求項６】
片面に離型層が設けられた離型シート上に、請求項１〜５のいずれか一項に記載の前記保護シールが設けられた保護シールセット。
【発明の詳細な説明】
【技術分野】
【０００１】
本発明は、スリットが形成された自閉式の弁体を備えたメスコネクタに剥離可能に貼付することができる保護シールに関する。また、本発明は、このような保護シールが離型シート上に搭載された保護シールセットに関する。
【背景技術】
【０００２】
医療の分野では、薬液、輸液、血液などの各種の液体を搬送するために回路（ライン）が用いられる。回路は、一般に容器や各種器具、チューブなどを接続することによって形成される。異なる部材を接続するために、オスコネクタ及びメスコネクタからなる接続具が用いられる。
【０００３】
このような分野に用いられるメスコネクタとして、自閉式の弁体を備えたメスコネクタが知られている（例えば、特許文献１〜５参照）。弁体は、ゴム弾性を有する軟質の材料からなる円形の薄板状物であり、その中央に、弁体を厚さ方向に貫通するスリットが形成されている。弁体は、キャップで覆われる。キャップの円形の天板の中央には開口が設けられており、当該開口内に、スリットを含む弁体の中央の領域が外界に露出される。鋭利な先端を有しない筒状のオスルアーを弁体のスリットに向かって押し込むと、オスルアーは弁体を変形させてスリットを貫通することができる。これにより、メスコネクタとオスルアーとが連通する。その後、オスルアーを弁体から引き抜くと、弁体は直ちに初期状態に弾性復帰し、スリットは閉じられる。オスルアーは、メスコネクタの弁体に、何度でも繰り返し挿抜することができる。オスルアーがスリットを貫通していないとき、スリットは液密及び気密に閉じられるので、スリットを介して、液体がメスコネクタから外界に漏れ出たり、外界の細菌がメスコネクタ内に侵入したりすることはない。
【先行技術文献】
【特許文献】
【０００４】
【特許文献１】特開平１１−１９７２５４号公報
【特許文献２】特開２００８−０２９６０７号公報
【特許文献３】特開２０１０−０７５６８４号公報
【特許文献４】特開２０１０−１９４１０５号公報
【特許文献５】特開２０１３−２５２１６５号公報
【発明の概要】
【発明が解決しようとする課題】
【０００５】
上記の従来のメスコネクタは、オスルアーを接続していない非接続状態では弁体のスリットは閉じられるので感染防止に有効である。しかしながら、非接続状態では、キャップの開口内に弁体のスリットを含む領域が露出され、更に、当該開口を取り囲むキャップの天板も外界に露出している。このため、これらの露出した弁体や天板が細菌で汚染される可能性がある。この状態でオスルアーを接続すると、オスルアーがメスコネクタの汚染された弁体や天板に触れることによって細菌がオスルアーに付着し、その後、オスルアーが弁体のスリットを貫通することによってメスコネクタ内に細菌が混入し、患者が感染症に至るという事態が起こりうる。
【０００６】
これを防ぐため、従来は、（１）オスルアーを分離した直後に、細菌の栄養成分を除去することを主目的として、弁体及び天板に付着した液体を拭き取り、（２）オスルアーを接続する直前に、消毒を主目的として、弁体及び天板を消毒剤を用いて拭き取り清掃していた。このように、従来は、オスルアーを分離した直後、及び、オスルアーを接続する直前の２度の拭き取り作業が必要であり、作業が煩雑であるという課題がある。
【０００７】
本発明は、上記の従来の課題を解決し、メスコネクタ内に細菌が混入する可能性を低く抑えながら、メスコネクタの拭き取り作業の回数を少なくすることを目的とする。
【課題を解決するための手段】
【０００８】
本発明の保護シールは、厚さ方向に貫通するスリットが形成された自閉式の弁体と、前記弁体の前記スリットを含む領域を露出させる開口が設けられた天板とを備えたメスコネクタに剥離可能に貼付することができる。前記保護シールは、基材層と、前記基材層の片面に設けられた粘着層とを備える。前記保護シールは、前記開口内に露出された前記弁体を覆うように、前記粘着層を前記メスコネクタ側にして前記メスコネクタに貼付することができるように構成されている。
【０００９】
本発明の保護シールセットは、片面に離型層が設けられた離型シート上に、前記保護シールが設けられている。
【発明の効果】
【００１０】
本発明の保護シールは、天板の開口内に露出された弁体の領域を覆うように、メスコネクタに貼付することができる。このため、メスコネクタからオスルアーを分離した直後に、メスコネクタの弁体及び天板に付着した液体を拭き取り、続いて保護シールをメスコネクタに貼付すれば、メスコネクタにオスルアーを再接続する際には、保護シールをメスコネクタから剥がした後、メスコネクタの弁体及び天板を消毒のため拭き取り清掃する必要がない。従って、メスコネクタ内に細菌が混入する可能性を低く抑えながら、メスコネクタの拭き取り作業の回数を少なくすることができる。
【００１１】
本発明の保護シールセットは、本発明の保護シールを簡単且つ安価に製造することを可能にする。また、保護シールを携帯するのを容易にする。
【図面の簡単な説明】
【００１２】
【図１】図１Ａは、本発明の一実施形態にかかる保護シールの平面図である。図１Ｂは、当該保護シールの側面図である。図１Ｃは、当該保護シールの拡大断面図である。
【図２】図２Ａは、本発明の保護シールが貼付されるメスコネクタの一例を示した斜視図である。図２Ｂは、図２Ａに示したメスコネクタの断面図である。
【図３】図３は、本発明の一実施形態にかかる保護シールをメスコネクタに貼付する直前の状態を示した斜視図である。
【図４】図４は、本発明の一実施形態にかかる保護シールの主部をメスコネクタの天板に貼付した状態を示した斜視図である。
【図５】図５は、本発明の一実施形態にかかる保護シールをメスコネクタに貼付した状態を示した斜視図である。
【図６】図６は、本発明の一実施形態にかかる保護シールが複数枚形成された保護シールセットの斜視図である。
【発明を実施するための形態】
【００１３】
本発明の上記の前記保護シールは、主部と、前記主部から突出したタブとを備えうる。この場合、前記保護シールは、前記主部を前記開口を取り囲む前記天板に貼付したとき、前記タブは前記メスコネクタの外周面に貼付することができるように構成されていることが好ましい。かかる構成は、保護シールのメスコネクタに対する貼付作業及び剥離作業の容易化、及び、メスコネクタの接続面（弁体及び天板）の清潔性の確保に有利である。
【００１４】
前記粘着層に消毒剤が混入されていてもよい。これは、保護シールが貼付されたメスコネクタの接続面への細菌の侵入を防ぐのに有利である。
【００１５】
前記保護シールは、前記開口を取り囲む前記天板の全面を覆うように構成されていることが好ましい。これは、メスコネクタに対する保護シールの接着強度の向上、及び、天板の清潔性の確保に有利である。
【００１６】
前記保護シールは、前記保護シールを前記メスコネクタから剥がした後に、前記開口内に露出された前記弁体に前記粘着層が残留しないように構成されていることが好ましい。これにより、メスコネクタにオスルアーを接続したときに、粘着剤がメスコネクタ内に混入し、更に、患者の体内に流入する可能性を低減することができる。
【００１７】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する主要部材を簡略化して示したものである。従って、本発明は以下の各図に示されていない任意の部材を備え得る。また、本発明の範囲内において、以下の各図に示された各部材を変更または省略し得る。図面は、本発明を概略的に示しており、図示された部材の寸法は、現実の部材のそれと正確に一致していない。
【００１８】
図１Ａは、本発明の一実施形態にかかる保護シール１の平面図、図１Ｂは保護シール１の側面図である。保護シール１は、略円形の主部２と、主部２の外周端縁から半径方向に沿って外向きに突出したタブ３とを備える。
【００１９】
図１Ｃは、保護シール１の厚さ方向に沿った面での拡大断面図である。保護シール１は、基材層５と、基材層５の片面に設けられた粘着層６とを備える。保護シール１の断面構成は、保護シール１上の位置に関わらず一定である。基材層５は、保護シール１に所望する機械的強度を付与する。粘着層６は、保護シール１をメスコネクタに貼付するために設けられる。本実施形態では、粘着層６は、保護シール１の片面に、全面にわたって一様に設けられている。
【００２０】
図２Ａは、保護シール１が貼付されるメスコネクタ１００の斜視図、図２Ｂはその断面図である。
【００２１】
メスコネクタ１００は、円板状の弁体（「セプタム」と呼ばれることもある）１１０と、弁体１１０を上下方向に挟持し固定する基台１２０及びキャップ１３０とを備える。
【００２２】
弁体１１０の中央には、弁体１１０を厚さ方向（図２Ｂにおいて上下方向）に貫通する直線状のスリット（切り込み）１１１が形成されている。弁体１１０の材料は、制限はないが、ゴム弾性を有する軟質の材料であることが好ましく、例えば、イソプレンゴム、シリコーンゴム、ブチルゴム、熱可塑性エラストマー等を用いることができる。
【００２３】
図２Ｂに示されているように、基台１２０は、その上側に、略円筒形状を有する台座１２１を備える。台座１２１の外周面は円筒面である。台座１２１の外周面から、一対の係合爪１２２が外側に向かって突出している。台座１２１より下側には、台座１２１の内腔１２５と連通した管状体１２７と、管状体１２７と同軸の雌ネジ１２８とが設けられている。
【００２４】
キャップ１３０は、円板形状を有する天板１３１と、天板１３１の外周端縁１３１ａから下方に向かって延びた円筒形状を有する周囲壁１３５とを備える。天板１３１の中央には円形の開口（貫通孔）１３２が形成されている。天板１３１の上面（弁体１１０とは反対側の面）は、開口１３２に近づくにしたがって下降した、凹状の円錐面である。周囲壁１３５には、一対の係合孔１３６が形成されている（図２Ａ参照）。係合孔１３６は、周囲壁１３５を半径方向に貫通する貫通孔である。
【００２５】
台座１２１の上端に弁体１１０を載置し、弁体１１０に上方からキャップ１３０をかぶせる。台座１２１に形成された係合爪１２２がキャップ１３０に形成された係合孔１３６内に嵌入することによって、キャップ１３０が係合爪１２２に係合される。かくして、キャップ１３０は基台１２０に固定される。弁体１１０は、台座１２１の上端とキャップ１３０の天板１３１とによりその厚さ方向に挟持される。図２Ａに示されているように、弁体１１０のスリット１１１を含む中央の領域は、天板１３１に形成された開口１３２内に露出する。天板１３１と、開口１３２内に露出した弁体１１０の領域とは、メスコネクタ１００の接続面１０１を構成する。キャップ１３０の周囲壁１３５及びこれより下側の基台１２０の外周面は、メスコネクタ１００の外周面を構成する。メスコネクタ１００の外周面は、天板１３１の外周端縁１３１ａを介して天板１３１に隣接する略円筒面である。
【００２６】
基台１２０及びキャップ１３０は、硬質の材料からなることが好ましい。具体的には、ポリアセタール、ポリカーボネート、ポリスチレン、ポリアミド、ポリプロピレン、硬質ポリ塩化ビニル等の樹脂材料を用いうる。基台１２０及びキャップ１３０のそれぞれは、これらの樹脂材料を用いて射出成形法等により一部品として一体的に製造することができる。
【００２７】
開口１３２内に露出された弁体１１０に向かって鋭利な先端を有しない中空の筒状のオスルアー（図示せず）を押し付けると、弁体１１０が変形してスリット１１１が開き、オスルアーをスリット１１１に挿入することができる。かくして、メスコネクタ１００の内腔１２５とオスルアーとが連通する。弁体１１０からオスルアーを引き抜くと、弁体１１０は直ちに初期状態に弾性復帰し、スリット１１１は液密及び気密に閉じられる。このように、弁体１１０はリシール性を有し、繰り返しオスルアーを挿抜することができる。スリット１１１が形成された自閉式の弁体１１０を備えたメスコネクタ１００は、一般に「ニードルレスポート」と呼ばれる。
【００２８】
メスコネクタ１００に対する保護シール１の使用方法を説明する。
【００２９】
メスコネクタ１００にオスルアーを接続してメスコネクタ１００とオスルアーとの間に液体（例えば、薬液、輸液、血液など）を流し、その後、オスルアーをメスコネクタ１００から分離する。オスルアーが分離された後の、開口１３２内に露出した弁体１１０の表面や、開口１３２を取り囲む天板１３１の上面（即ち、メスコネクタ１００の接続面１０１）には、液体が付着していることが多い。接続面１０１に付着したこの液体を清潔な布等で拭き取り清掃する。好ましくは、消毒剤を用いて接続面１０１を消毒する。
【００３０】
次いで、図３に示すように、メスコネクタ１００のキャップ１３０の天板１３１に、保護シール１を対向させる。保護シール１の粘着層６（図１Ｂ参照）が設けられた面を、天板１３１に対向させる。
【００３１】
次いで、図４に示すように、保護シール１をキャップ１３０の天板１３１に貼付する。主部２が、天板１３１に設けられた開口１３２（図２Ａ、図３参照）を塞ぐように、保護シール１を貼付する。開口１３２内に露出されていた弁体１１０は、保護シール１で覆われる。主部２の粘着層６は、キャップ１３０の天板１３１に接着する。主部２をメスコネクタ１００に向かって押さえることにより、主部２を、天板１３１の凹状の円錐面に沿うように凹状に湾曲させることができる。これにより、主部２の粘着層６を、より広い面積にわたって天板１３１に接着させることができるので、開口１３２は主部２によってより確実に封止される。保護シール１のタブ３は、天板１３１の外周端縁１３１ａ（図２Ａ、図３参照）から外向きに突出する。保護シール１の貼付作業は、タブ３を摘まむことで容易に行うことができる。
【００３２】
最後に、図５に示すように、天板１３１の外周端縁１３１ａから突出したタブ３を、外周端縁１３１ａに沿って折り曲げて、タブ３をキャップ１３０の周囲壁１３５（即ち、メスコネクタ１００の外周面）に貼付する。メスコネクタ１００は、その後にオスルアーが再接続されるまでの間、このように保護シール１が貼付された状態で放置される。
【００３３】
保護シール１は、メスコネクタ１００にオスルアーを再接続する直前にメスコネクタ１００から剥がされる。最初に、タブ３をキャップ１３０の周囲壁１３５から剥がし、その後、タブ３を摘まんで保護シール１を引っ張ると、保護シール１をメスコネクタ１００から容易に分離することができる。その後、開口１３１内に露出した弁体１１０のスリット１１１にオスルアー（図示せず）を挿入する。メスコネクタ１００から剥がされた保護シール１は、廃棄される。
【００３４】
以上のように、本実施形態では、メスコネクタ１００からオスルアーを分離した直後、メスコネクタ１００の接続面１０１に付着した液体を拭き取る。好ましくは接続面１０１を消毒液で消毒する。その後、直ちに、保護シール１を接続面１０１に貼付する。保護シール１の粘着層６は天板１３１に密着し、開口１３２内に露出された弁体１１０の領域は保護シール１で覆われる。保護シール１は細菌、ゴミ、水等の浸入を防ぐので、弁体１１０の当該領域は清潔な状態で維持される。このため、その後、メスコネクタ１００から保護シール１を剥がし、直ちにオスルアーをメスコネクタ１００に接続することができる。オスルアーをメスコネクタ１００に再接続する直前に、メスコネクタ１００の接続面１０１を消毒剤を用いて拭き取り清掃する必要はない。
【００３５】
上述したように、従来は、非接続状態のメスコネクタ１００は、メスコネクタ１００の接続面１０１が露出した状態で放置された。このため、メスコネクタ１００からオスルアーを分離した直後、メスコネクタ１００の接続面１０１に付着した液体を拭き取り清掃することに加えて、その後、メスコネクタ１００にオスルアーを再接続する直前に、接続面１０１を消毒剤を用いて拭き取り清掃する必要があった。これに対して本実施形態では、保護シール１は非接続状態のメスコネクタ１００に貼付され続けるので、メスコネクタ１００の接続面１０１の清潔状態が維持される。このため、メスコネクタ１００にオスルアーを再接続する直前に、接続面１０１の消毒剤を用いた拭き取り清掃が不要である。従って、メスコネクタ１００内に細菌が混入する可能性を低く抑えながら、メスコネクタ１００の拭き取り作業回数を少なくすることができる。
【００３６】
本実施形態では、メスコネクタ１００に保護シール１を貼付する作業と、メスコネクタ１００から保護シール１を剥がす作業とが必要である。その代わりに、上述したように、従来行っていた、オスルアーを再接続する直前に接続面１０１を拭き取り清掃する作業を省略できる。保護シール１を貼付及び剥がす作業は、接続面１０１を拭き取り清掃する作業にくらべて、極めて簡単である。従って、全体として作業者の作業負担は著しく軽減される。
【００３７】
保護シール１をメスコネクタ１００に対して貼付する作業及び剥離する作業は、タブ３を指で摘まむことにより容易に行うことができる。更に、貼付作業をタブ３を摘まんで行うにより、作業者の指が主部２（特にその粘着層６側の面）に触れることはない。このため、指に付着した細菌が、主部２に付着し、更に、メスコネクタ１００の拭き取り清掃された接続面１０１に付着する可能性が低減する。また、剥離作業を、最初にタブ３をキャップ１３０の周囲壁１３５から剥がし、その後、タブ３を摘まんで行うことにより、作業者の指がメスコネクタ１００の接続面１０１に触れることはない。このため、指に付着した細菌が、メスコネクタ１００の接続面１０１に付着する可能性が低減する。このように、タブ３は、保護シール１の貼付作業及び剥離作業を容易にするのに有利であることに加えて、メスコネクタ１００の接続面１０１の清潔性を確保するのにも有利である。これは、患者が感染症に至る可能性を更に低減する。
【００３８】
保護シール１は、図６に示すように、離型シート１１上に保護シール１を剥離可能に形成した保護シールセット１０として提供しうる。離型シート１１は、紙や樹脂からなる基材シートの片面に離型層を設けたものである。離型シート１１の離型層上に、粘着層６及び基材層５を順に積層する。その後、ハーフカット加工により、離型シート１１上に保護シール１を形成することができる。長尺の離型シートを用い、ハーフカット加工と同時に長尺の離型シートを分断することにより、離型シート１１上に１枚又は複数枚の保護シール１が搭載された保護シールセット１０を製造することができる。このような製造方法を用いることにより、大量の保護シール１を簡単且つ安価に製造することができる。保護シールセット１０は薄く且つ柔軟なシート状物であるので、複数枚の保護シールセット１０を携帯することは容易である。例えば、病院等の医療機関において看護師が複数枚の保護シールセット１０を常時携帯し、必要時に保護シールセット１０から保護シール１を剥離して、保護シール１をメスコネクタ１００に貼付するという使い方が可能である。
【００３９】
本発明とは異なり、非接続状態のメスコネクタ１００に、接続面１０１を覆うように着脱可能に装着することができる有底の筒形状を有するカバー（キャップ）が現に市販されている。このカバーは、樹脂の成形品であり且つ使い捨てタイプであるので、高価である。更に、ある程度の大きさを有しているので、看護師が複数個のカバーを携帯するには、かさばって不便である。本実施形態の保護シール１及び保護シールセット１０は、カバーのこのような問題は生じない。
【００４０】
保護シール１の基材層５は、樹脂シートで構成しうる。基材層５を構成する材料としては、制限はないが、ポリエステル、ポリエチレン、ポリプロピレン、ポリウレタン、エチレン酢酸ビニル、ポリエチレンテレフタレートなどの高分子樹脂材料を使用しうる。基材層５は、単層である必要はなく、複数の層が積層された多層構造を有していてもよい。基材層５の粘着層６とは反対側の面に、印刷や着色が施されていてもよい。基材層５の厚さに制限はない。但し、基材層５が薄すぎると、保護シール１の機械的強度が低下するので、保護シール１が破れやすくなる。また、基材層５が厚すぎると、保護シール１の機械的強度が高くなるので、タブ３を折り曲げたとき（図５参照）に折り癖が付きにくく、タブ３をキャップ１３０の周囲壁１３５に貼付することが困難となる。
【００４１】
粘着層６は、制限はないが、シリコン系、アクリル系、ゴム系等の公知の粘着剤で構成しうる。保護シール１をメスコネクタ１００に貼付した後、保護シール１をメスコネクタ１００から剥がすことが比較的容易であり、且つ、剥がした後にメスコネクタ１００に粘着剤が残留しないように粘着層６が構成されることが好ましい。特に、保護シール１を剥がした後に開口１３５内の弁体１１０の表面に粘着剤が付着していると、その後、オスルアーをスリット１１１内に挿入したとき、弁体１１０に付着した粘着剤がメスコネクタ１００の内腔１２５内に混入する可能性がある。粘着剤が弁体１１０に付着するのを防止する方法は、制限はないが、例えば、（１）開口１３２に対応する保護シール１の領域に粘着層６を形成しない、（２）弁体１１０とキャップ１３０との材料の違いによって、弁体１１０には接着せず且つキャップ１３０に選択的に接着するような粘着剤を選択する、等の手法を採用しうる。
【００４２】
粘着層６に消毒剤が混入されていてもよい。消毒剤としては、制限はないが、例えばクロルヘキシジンを使用しうる。消毒剤を含有した粘着層６は消毒作用を有するので、メスコネクタ１００の接続面１０１に保護シール１を貼付することにより、接続面１０１への細菌の侵入を防ぎ、患者が細菌感染する可能性を低減することができる。
【００４３】
上記の実施形態では、主部２の外径が天板１３１の外径と略同一であったが、本発明はこれに限定されない。但し、保護シール１は、天板１３１の開口１３２を塞ぐことができる程度の大きさを有している必要がある。また、保護シール１をメスコネクタ１００に貼付したとき、天板１３１の外周端縁１３１ａからの保護シール１（特に主部２）のはみ出し量が大きいと、保護シール１は天板１３１から意図せずに剥離されやすい。このため、好ましくは、主部２は、天板１３１の開口１３２より大きく、且つ、天板１３１と同じかこれより小さい。より好ましくは、主部２は、天板１３１と略同一の寸法を有している。これにより、主部２は、天板１３１からはみ出すことなく、天板１３１の全面を覆うことができる。これは、メスコネクタ１００に対する主部２の接着強度の向上、及び、天板１３１の清潔性の確保に有利である。一般的には、主部２の外径は、制限はないが、４．０ｍｍ以上、更には４．２ｍｍ以上であることが好ましく、また、１３．１ｍｍ以下、更には１１．７ｍｍ以下であることが好ましい。同様の観点から、主部２の面積は、制限はないが、天板１３１の平面視したときの面積（開口１３２内の領域を含む）の１０％以上、更には５０％以上であることが好ましく、また、１００％以下、更には９０％以下であることが好ましい。
【００４４】
主部２の平面視形状は、円形である必要はなく、多角形（例えば、正六角形、正八角形などの正多角形）、楕円形、または任意の形状であってもよい。
【００４５】
タブ３の形状や寸法（幅、長さ）は任意である。例えば、タブ３の把持性を向上させるために、または、タブ３のメスコネクタ１００の外周面への接着強度を向上させるために、タブ３の先端（主部２とは半体側端）に拡幅した部分が設けられていてもよい。保護シール１に設けられるタブ３の数は１つである必要はなく、２つ以上であってもよい。タブ３を省略してもよい。
【００４６】
１枚の保護シールセット１０に設けられる保護シール１の数は、制限はなく、１枚であってもよく、２枚以上の任意の数であってもよい。図６の保護シールセット１０では、離型シート１１上の基材層５及び粘着層６のうち保護シール１以外の部分は除去されていたが、本発明の保護シールセットは、離型シート１１の全面に一様に設けられた粘着層６及び基材層５を保護シール１の形状に単にハーフカット加工しただけものであってもよい。
【００４７】
本発明の保護シールが貼付されるメスコネクタの構成は、上記の実施形態に限定されない。スリットが形成された自閉式の弁体を備えた任意のメスコネクタに本発明の保護シールを貼付することができる。上記の実施形態では、タブ３は、キャップ１３０の周囲壁１３５に貼付されたが（図５参照）、周囲壁１３５の形状や寸法等によっては、タブ３が周囲壁１３５ではなく、基台１２０の外周面に貼付されてもよい。上記のメスコネクタ１００は管状体１２７（図２Ｂ参照）を備えており、チューブの末端に接続できるように構成されている。本発明の保護シールが貼付されるメスコネクタはこれに限定されず、例えば特許文献１〜３に記載されたような、液体が流れるチューブの途中に設けられる、いわゆる混注ポートであってもよく、あるいは、特許文献４に記載されたような、容器のポートに設けられたメスコネクタであってもよい。
【産業上の利用可能性】
【００４８】
本発明は、スリットが形成された自閉式の弁体を備えたメスコネクタが使用される任意の分野に利用することができる。特に、医療分野で使用されるメスコネクタに剥離可能に貼り付けることができる保護シールとして好ましく利用することができる。
【符号の説明】
【００４９】
１  保護シール
２  主部
３  タブ
５  基材層
６  粘着層
１０  保護シールセット
１１  離型シート
１００  メスコネクタ
１１０  弁体
１１１  スリット
１３０  キャップ
１３１  天板
１３２  開口
１３５  キャップの周囲壁（メスコネクタの外周面）
【図１】
2017136200.tif 000003
【図２】
2017136200.tif 000004
【図３】
2017136200.tif 000005
【図４】
2017136200.tif 000006
【図５】
2017136200.tif 000007
【図６】
2017136200.tif 000008